(57)【要約】【課題】  回路短絡ブリッジの接触アームを短くできるとともに高い接触力で回路短絡ブリッジの確実な係止を成し遂げられる電気コネクタを提供すること。【解決手段】  第１のコネクタ要素（１）と第２のコネクタ要素（２）とを備える電気コネクタである。第１のコネクタ要素（１）には少なくとも一つの回路短絡ブリッジ（８）が配置される。回路短絡ブリッジ（８）は、平坦な第１の支持部（２１）と、当該第１の支持部（２１）に距離を置いて対向するとともに第１の支持部（２１）に一体的に接続された第２の支持部（２２）と、を有する。第１および第２の支持部（２１，２２）は、互いに向かって弾性的に変形するように形成され且つ、それらと嵌合する収容部（１５）の第１および第２の支持面（１６，１７）と予め定められた荷重で当接する。第１の支持部（２１）には、収容部（１５）の範囲を定める第１の支持面（１６）、両側面の一方（１９）、および両側面の他方（２０）の少なくとも一つに係合する係合部（２９）が設けられる。【選択図】    図２
2004342594.tif 000002
【特許請求の範囲】
【請求項１】
第１のコネクタ要素（１）と、第２のコネクタ要素（２）と、を備える電気コネクタであって、
ケーブルまたは回路基板の電気接続のためにそれぞれ働く少なくとも二つの第１の接点要素（５）が、前記第１のコネクタ要素（１）に配置され、
前記第１のコネクタ要素（１）が、平坦な第１の支持面（１６，１１６，２１６，３１６，４１６）と、当該第１の支持面（１６，１１６，２１６，３１６，４１６）に平行な第２の支持面（１７，１１７，２１７，３１７，４１７）と、を有する少なくとも一つの収容部（１５，１１５，２１５，３１５，４１５）を形成し、
少なくとも前記第１の支持面（１６，１１６，２１６，３１６，４１６）が、二つの平行な側面（１９，２０；１１９，１２０；２１９，２２０；３１９，３２０；４１９，４２０）を有する縁により部分的に囲まれ、
前記第１のコネクタ要素（１）に少なくとも一つの回路短絡ブリッジ（８，１０８，２０８，３０８，４０８）が配置され、
前記回路短絡ブリッジ（８，１０８，２０８，３０８，４０８）が、導電性の板状材料で作られ、且つ平坦な第１の支持部（２１，１２１，２２１，３２１，４２１）と、当該第１の支持部（２１，１２１，２２１，３２１，４２１）に距離を置いて対向するとともに前記第１の支持部（２１，１２１，２２１，３２１，４２１）に一体的に接続された第２の支持部（２２，１２２，２２２，３２２，４２２）と、を有し、
両方の前記第１および第２の支持部（２１，２２；１２１，１２２；２２１，２２２；３２１，３２２；４２１，４２２）が、互いに向かって弾性的に変形するように形成され且つ、それらと嵌合する前記収容部（１５，１１５，２１５，３１５，４１５）の前記第１および第２の支持面（１６，１１６，２１６，３１６，４１６；１７，１１７，２１７，３１７，４１７）と予め定められた荷重で当接し、
前記第１の支持部（２１，１２１，２２１，３２１，４２１）が、前記収容部（１５，１１５，２１５，３１５，４１５）の前記両側面（１９，２０；１１９，１２０；２１９，２２０；３１９，３２０；４１９，４２０）の間に係止される対向する二つの側縁（２３，２４；１２３，１２４；２２３，２２４；３２３，３２４；４２３，４２４）を有し、
前記回路短絡ブリッジ（８，１０８，２０８，３０８，４０８）が、前記第２の支持部（２２，１２２，２２２，３２２，４２２）に一体的に接続された少なくとも二つの弾性接触アーム（２６，１２６，２２６，３２６，４２６）を有し、
前記第１の接点要素（５）の数に対応して複数の第２の接点要素（１２）が前記第２のコネクタ要素（２）に配置され、当該第２の接点要素（１２）が、前記第１の接点要素（５）に対して嵌合するように形成され且つ、それぞれ、ケーブル（１３）または導電板の導電接続のために働き、
持ち上げ要素（１４）が前記第２のコネクタ要素（２）に配置され、
前記二つのコネクタ要素（１，２）の非接続状態において、前記接触アーム（２６，１２６，２２６，３２６，４２６）が前記第１の接点要素（５）に弾性的に接触し、
前記二つのコネクタ要素（１，２）の接続状態において、前記接触アーム（２６，１２６，２２６，３２６，４２６）が前記持ち上げ要素（１４）により前記第１の接点要素（５）との接触を解除され、そして、
前記第１の支持部（２１，１２１，２２１，３２１，４２１）には、前記収容部（１５，１１５，２１５，３１５，４１５）の範囲を定める前記第１の支持面（１６，１１６，２１６，３１６，４１６）、前記両側面の一方（１９，１１９，２１９，３１９，４１９）、および前記両側面の他方（２０，１２０，２２０，３２０，４２０）の少なくとも一つに係合する係合部（２９，１２９，２２９，３２９，４２９）が設けられていること、
を特徴とする電気コネクタ。
【発明の詳細な説明】
【技術分野】
【０００１】
本発明は、回路短絡ブリッジを有する電気コネクタに関する。
【背景技術】
【０００２】
電気コネクタは、例えば車両に数多く使用される。電気コネクタのコネクタ要素が互いに分離されている際に静電気のために動作エラーや損傷が生じ得る危険性が存在する車両の電装機器の接続に使用される電気コネクタにおいては、電装機器側にあるコネクタ要素には少なくとも一つの回路短絡ブリッジが設けられ、それを用いて二つの接点要素がそれぞれ電気的に短絡される。それと共に、それら接点要素に接続された回路も短絡される。
【０００３】
回路短絡ブリッジを有するそのような電気コネクタは、例えば特許文献１に述べられている。それは第１と第２のコネクタ要素を備える。第１のコネクタ要素は幾つかの第１接点要素を有し、それらはそれぞれ第１のコネクタ要素のハウジングの収容室に収容され、ケーブルに電気的に接続される。第１のコネクタ要素は更に空洞を有し、その中に突起が設けられる。この空洞の中で回路短絡ブリッジが突出部および突起により係止される。回路短絡ブリッジは導電性材料製である。回路短絡ブリッジは係止用の突起を有し且つ収容室の外壁により支持される平坦支持部を有する。回路短絡ブリッジの弾性部は、この支持部から始まり、ある距離で支持部に向かって大体１８０°曲げ戻され、支持部に向かって且つ支持部を通り過ぎて後ろに伸びている。
【０００４】
曲げ戻された部分は、二つの弾性接触アームを形成し、第１のコネクタ要素が電気コネクタの第２のコネクタ要素に接続されていないときは、それぞれ第１の接点要素に弾性的に且つ電気的に接触する役目をする。第２のコネクタ要素は、第１および第２のコネクタ要素が接続されて第１のコネクタ要素の第１の接点要素と第２のコネクタ要素に配置された第２の接点要素とが接続される際に、第１の接点要素から回路短絡ブリッジの接触アームを持ち上げるために働く持ち上げ要素として、一つまたは幾つかの分離用突起を有している。
【特許文献１】独国特許出願公開第１９９ ４７ ０２９ Ａ１号明細書
【発明の開示】
【発明が解決しようとする課題】
【０００５】
空洞内での回路短絡ブリッジの支持は、一方では支持部を介し、他方では支持部と距離を置いて、回路短絡ブリッジの弾性部分の曲げ戻された領域が収容室と空洞の間にある回路短絡ブリッジを収容する隔壁に当接することにより達成される。これは比較的長く且つそれと共に剛性の低い構造を生じ、それにより一方では回路短絡ブリッジの挿入に必要な設置スペースが大きくなり、他方では接触アームの接触圧が低下する。
【０００６】
本発明は、嵌合するコネクタ要素の一方に回路短絡ブリッジが設けられ、そのコネクタ要素内で回路短絡ブリッジを係止する配置と回路短絡ブリッジの構造が互いに適合し、回路短絡ブリッジの接触アームを短くできるとともに高い接触力で回路短絡ブリッジの確実な係止を成し遂げられる電気コネクタを提供するという目的に基づいている。
【課題を解決するための手段】
【０００７】
前述した目的を達成するため、本発明に係る電気コネクタは、
第１のコネクタ要素と、第２のコネクタ要素と、を備える電気コネクタであって、
ケーブルまたは回路基板の電気接続のためにそれぞれ働く少なくとも二つの第１の接点要素が、前記第１のコネクタ要素に配置され、
前記第１のコネクタ要素が、平坦な第１の支持面と、当該第１の支持面に平行な第２の支持面と、を有する少なくとも一つの収容部を形成し、
少なくとも前記第１の支持面が、二つの平行な側面を有する縁により部分的に囲まれ、
前記第１のコネクタ要素に少なくとも一つの回路短絡ブリッジが配置され、
前記回路短絡ブリッジが、導電性の板状材料で作られ、且つ平坦な第１の支持部と、当該第１の支持部に距離を置いて対向するとともに前記第１の支持部に一体的に接続された第２の支持部と、を有し、
両方の前記第１および第２の支持部が、互いに向かって弾性的に変形するように形成され且つ、それらと嵌合する前記収容部の前記第１および第２の支持面と予め定められた荷重で当接し、
前記第１の支持部が、前記収容部の前記両側面の間に係止される対向する二つの側縁を有し、
前記回路短絡ブリッジが、前記第２の支持部に一体的に接続された少なくとも二つの弾性接触アームを有し、
前記第１の接点要素の数に対応して複数の第２の接点要素が前記第２のコネクタ要素に配置され、当該第２の接点要素が、前記第１の接点要素に対して嵌合するように形成され且つ、それぞれ、ケーブルまたは導電板の導電接続のために働き、
持ち上げ要素が前記第２のコネクタ要素に配置され、
前記二つのコネクタ要素の非接続状態において、前記接触アームが前記第１の接点要素に弾性的に接触し、
前記二つのコネクタ要素の接続状態において、前記接触アームが前記持ち上げ要素により前記第１の接点要素との接触を解除され、そして、
前記第１の支持部には、前記収容部の範囲を定める前記第１の支持面、前記両側面の一方、および前記両側面の他方の少なくとも一つに係合する係合部が設けられていること、
を特徴とする。
【０００８】
この実施形態の利点は、収容部の領域における係止ウェブの両面係止により優れた支持が達成され、それにより高い剛性を有する短い接触アームが実現する点である。回路短絡ブリッジの二つの支持部により収容部の領域を囲むことは特に有利である。それは、二つの支持部が収容部の領域において面接触で支持面に当接し且つ予め定められた大きな荷重で当接することにより、回路短絡ブリッジを収容部への押し込み方向と反対に移動しないように回路短絡ブリッジを固定するために必要な手段が、実質的に大きな力を吸収する必要がないからである。従って、係合部を第１の支持部にのみ配置することが可能であり、その場合の利点は、接触アームが持ち上げられるときに、係合部上での係止に悪影響を与える力が何ら働かないということである。
【０００９】
回路短絡ブリッジは例えばバネ鋼等の耐食性鋼から作ってもよく、それにより当接力が長期間保証される。
【００１０】
接触アームを短く作れる可能性により、その短さに応じて接触アームが硬く形成され、それにより第１の接点要素に対する高い接触力が達成され、従って不利な条件下でも高い接触力が達成され、確実な電気接続が維持される。
【００１１】
更に、複数の側面により回路短絡ブリッジは回転しないように収容部の所定位置に固定される。二つよりも多くの接点要素が短絡されねばならないときは、対応する数の接触アームを有する回路短絡ブリッジを設ければよい。
【００１２】
本発明に係る電気コネクタの第１の実施形態に関し、第１の支持部の側縁それぞれには、押し込み方向に低勾配の側面と当該押し込み方向とは反対側に急勾配の側面とを有する係合部として、少なくとも一つの突起が形成されている。この場合、急勾配の側面が押し込み方向に対して垂直に延長し、それに応じて収容部からの押し出しに対する抵抗が高ければ、より好ましい。
【００１３】
本発明に係る電気コネクタの第２の実施形態に関し、第１の支持部の両側縁それぞれには係合部として少なくとも一つの三角形の突起が形成され、当該係合部は、その突き出る先端で第１の支持面に係合する。
【００１４】
本発明に係る電気コネクタの第３の実施形態に関し、第１の支持部には、打ち抜きおよび曲げにより係合部として少なくとも一つの突起が形成され、当該突起が第２の支持部の方向に突き出て第１の支持面に係合する。
【００１５】
本発明に係る電気コネクタの第４の実施形態に関し、第１の支持部が、押し込み方向に平行に延長する細長穴状の切り欠きを有し、当該切り欠きの範囲を定めるその対向縁には、係合部として、互いに向かって突き出る複数の突起が設けられ、しかも第１の支持面が、切り欠き内に配置されるウェブにより分割され、切り欠きに対応するウェブの複数の側面に係合部が係合する。
【００１６】
本発明に係る電気コネクタの第５の実施形態に関し、第１の支持部が、基部として形成された部分と舌部として形成された部分と、を備え、舌部の対向側縁には係合部として少なくとも一つの突起が設けられ、第１の支持面が、基部に適合する第１の支持面部と、舌部に適合する第２の支持面部と、を備え、舌部が、第２の支持面部の範囲を定める縁の側面におけるその係合部分に係合する。
【００１７】
本発明に係る電気コネクタの全ての実施形態に関し、第１の支持面と第２の支持面との間の変わり目が丸み部の形で設けられ、回路短絡ブリッジの第１の支持部と第２の支持部が丸み部の外形に適合する円弧部により接続されている。
【発明の効果】
【００１８】
本発明によれば、回路短絡ブリッジの接触アームを短くできるとともに高い接触力で回路短絡ブリッジの確実な係止を成し遂げられる電気コネクタを提供することができる。
【発明を実施するための最良の形態】
【００１９】
本発明の複数の好適な実施形態は添付の図１〜図１１に模式的に示され、添付の図１〜図１１により詳細に説明される。
【００２０】
図１は、互いに接続される前の第１のコネクタ要素と第２のコネクタ要素を有する電気コネクタの模式的縦断面図、図２は、回路短絡ブリッジとそれに対応する係止ウェブ内の収容部の、両者が互いに接続される前の状態にある第１の実施形態を示す斜視図、図３は、接続された状態の図２の回路短絡ブリッジと収容部を示す斜視図、図４は、回路短絡ブリッジとそれに対応する係止ウェブ内の収容部の、両者が互いに接続される前の状態にある第２の実施形態を示す斜視図、図５は、接続された状態の図４の回路短絡ブリッジと収容部を示す斜視図、図６は、回路短絡ブリッジとそれに対応する係止ウェブ内の収容部の、両者が互いに接続される前の状態にある第３の実施形態を示す斜視図、図７は、接続された状態の図６の回路短絡ブリッジと収容部を示す斜視図、図８は、回路短絡ブリッジとそれに対応する係止ウェブ内の収容部の、両者が互いに接続される前の状態にある第４の実施形態を示す斜視図、図９は、対応する（嵌合する）係止ウェブの収容部と接続された状態の図８の回路短絡ブリッジを示す斜視図、図１０は、回路短絡ブリッジとそれに対応する係止ウェブ内の収容部の、両者が互いに接続される前の状態にある第５の実施形態を示す斜視図、そして図１１は、接続された状態の図１０の回路短絡ブリッジと収容部を示す斜視図である。
【００２１】
図１に示される電気コネクタは長手軸３上に中心を置いて示される第１のコネクタ要素１と第２のコネクタ要素２とを備え、その長手軸３上でそれらが互いに向かって移動されて互いに接続される。第１のコネクタ要素１は第１の接続ハウジング４を有し、そのハウジング４は収容室６を囲み、接続されるときはその中に第２のコネクタ要素２が入る。接続ハウジング４の基部を通って多数の第１の接点要素５が例えばコンタクトピンの形で長手軸３と平行に収容室６に突き出ているが、その一つのみが図１には示される。その他は描画平面を基準とする幾つかの列として互いに上下して配列され、描画平面の中では互いに距離を置いて配列される。但し、少なくとも二つの第１の接点要素５が設けられるが、他方の第１の接点要素５は紙面の後ろに位置し且つ、図示されている第１の接点要素５の平面の後ろの平面内に配置される。第１の接点要素５は第１のコネクタハウジング４の基部を通って収容室６とは反対側へ突き出ており、例えば、収容室６から離れて面する側で装置に挿入され、例えばそこで回路基板またはケーブルに接続される。第１のコネクタハウジング４は例えばフランジを有してもよく、それを用いてハウジングが車両の装置または電装機器の対応するハウジングに取り付けられる。
【００２２】
収容室６には、収容室６を通り且つ少なくとも一つの収容部を形成する係止ウェブ７が配置され、その上に回路短絡ブリッジ８が係止される。二つのコネクタ要素１、２が互いに接続されないときは、回路短絡ブリッジ８は第１の接点要素５に電気的に接触する接触アームにより第１の接点要素５を短絡させる。他の異なる実施形態（変形）における回路短絡ブリッジ８の形態と係止ウェブ７に対する配置は、これらの実施形態に対する更なる図に示される詳細図Ｘを用いて詳細に説明される。第２のコネクタ要素２もまた長手軸３に中心を置いて示される。第２のコネクタ要素２は長手軸３に平行に伸びる第１の接点要素５の数に対応する数の収容室１０を有する第２のコネクタハウジング９を備え、これはそれぞれ一つの第２の接点要素１２を収容する。収容室１０は隔壁１１により分割される。第２の接点要素１２（その一つのみが第１の接点要素５に対向するように表される。）は、それぞれ第２のコネクタハウジング９から伸びるケーブル１３に電気的に接続される。更に、第２のコネクタハウジング９は、二つのコネクタ要素１、２を接続するときに回路短絡ブリッジ８を第１の接点要素５から持ち上げる役目をする持ち上げ要素１４を有し、それにより、二つの接点５、１２が更に接続するときに互いに電気的に接触しつつも、短絡が取り消される。このことは目に見えるように表された接点要素の対５、１２に対して図面平面から距離を置いてずらされた更なる接点要素の対５、１２に対しても有効であり、従って二つの第１の接点要素５間の短絡接続が取り消される。
【００２３】
短絡回路とそれを受容および固定する係止ウェブ７の部分の構造は全部で５つの実施形態に対する詳細図Ｘを表す図２〜図１１を用いて詳細に説明される。
【００２４】
（第１の実施形態）
以下において、第１の実施形態は図２および図３を用いて詳細に説明される。更なる４つの実施形態はそれぞれ図４〜図１１を用いて説明され、更なる４つの実施形態の部分と構成部材は、数１００ずつ互いに異なる参照数字によりそれぞれ特徴付けられる。
【００２５】
図２と図３の実施形態において、係止ウェブ７内に回路短絡ブリッジ８に対する収容部１５が設けられ、これは第１の平坦支持面１６とそれに平行に配置された第２の支持面１７を備え、丸み部１８により互いに接続される。収容部１５は互いに平行に伸び且つ第１の支持面１６の横方向の範囲を定める第１の側面１９と第２の側面２０を形成する更なる縁を備える。
【００２６】
回路短絡ブリッジ８は導電性の板状材料製であり、実質的に平坦な第１の支持部２１と、第１の支持部２１に平行に配置された第２の支持部２２とを備え、二つの支持部２１、２２は互いに対向して配置され、互いに距離を置いて配置され、そして円弧部２５により互いに一体的に接続される。第１の支持部２１は第１の側縁２３と、それに対向して配置された第２の側縁２４とを有し、二つの側縁２３、２４には突起状の係合部２９が形成され、前面には収容部１５への押し込み方向（差し込み方向）Ｆに低勾配の側面３０と、後ろには急勾配の側面３１とを有し、急勾配の側面３１は押し込み方向Ｆに対して垂直に延長されている。
【００２７】
第２の支持部２２の後にはそれに一体的に接続された二つの接触アーム２６が続き、それらは第２の支持部２２に対して曲げられ、更にそれらの更なる延長部において再び曲げられ、そのように曲げられた持ち上げ部２８で終了する。持ち上げ部２８に向かう曲げ領域において接触域２７が形成され、対応する第１の接点要素に接触する。
【００２８】
図３に表された取り付け状態は、回路短絡ブリッジ８が収容部１５の領域内の係止ウェブ７に押し込まれ、それにより第１の支持部２１が第１の支持面１６に当接し、且つ第２の支持部２２が第２の支持面１７に当接し、そしてその弾性効果とその予め定められた荷重によりこれらに密着する。円弧部２５は丸み部１８に適合する。それと同時に、回路短絡ブリッジ８が収容部１５へ方向Ｆに押し込まれた際に、係合部２９が側面１９、２０の基材に押し込まれ、即ち突起状の係合部２９が係止ウェブ７の基材に食い込み、このように係合する。第１のコネクタハウジング４は回路短絡ブリッジ８が作られる材料よりも軟らかい電気絶縁プラスチック材料で作られるので弾性的嵌合が達成される。更に、回路短絡ブリッジ８は横または回転ずれしないように収容部１５の側面１９、２０と関連する側縁２３、２４により固定される。
【００２９】
（第２の実施形態）
図４および図５は回路短絡ブリッジ１０８と収容部１１５の構造を有する第２の実施形態を示す。ここでは、互いに対応する構成部材には図２と図３の第１の実施形態と比較して数１００が加えられた参照数字が与えられ、従ってそれらの説明に関し、図２および図３の対応する説明が参照される。
【００３０】
以下においてその差を詳細に説明する。
【００３１】
図２および図３の実施形態に対する差として、回路短絡ブリッジ１０８の第１の支持部１２１の側縁１２３、１２４の領域において、係合突起１２９が打ち抜かれて三角形状が形成され、係合部１２９の先端が第２の支持部１２２に対向するように第２の支持部１２２に向う方向に曲げられる。短絡回路ブリッジ１０８の二つの支持部１２１、１２２を収容部１１５に押し込む際に、第２の支持部１２２が、図示しない第２の支持面１１７上に支持され、一方バネ力により係合部１２９が第１の支持面１１６において係合し、回路短絡ブリッジ１０８を押し込み方向Ｆと反対に移動しないように収容部１１５の領域の係止ウェブ７上に固定する。側面１１９、１２０はこれにより回路短絡ブリッジ１０８、あるいは特に第１の支持部１２１を横ずれおよび回転しないように固定する。
【００３２】
接続状態が図５に示される。
【００３３】
（第３の実施形態）
図６および図７は回路短絡ブリッジ２０８と収容部２１５の構造を有する第３の実施形態を示し、図２と図３の第１の実施形態のものに対応するその構成部品または部分には図２および図３の参照数字と比較して数２００を加えた参照数字が与えられる。それらの説明に関して、図２および図３の対応する説明が参照される。
【００３４】
図６および図７の実施形態において、収容部２１５は図４と図５に関連して述べられた収容部１１５に略相当する。回路短絡ブリッジ２０８において、一つの側縁上でやはり接続が維持されるように、三角形状を有する二つの係合部２２９が支持部２２１内で打ち抜かれ、これら係合部２２９の三角形の突起の先端が第２の支持部２２２に向かう方向に面するように支持部２２２側へ曲げられる。図４と図５の実施形態におけるように、係合部２２９は、取り付けられた状態にある図６と図７の実施形態においても図７に示されるように第１の支持面２１６に係合し、それにより押し込み方向Ｆと反対方向に変位しないような係止が達成される。
【００３５】
（第４の実施形態）
図８および図９は回路短絡ブリッジ３０８と、係止ウェブ７内の収容部３１５の構造を有する第４の実施形態を示し、図２と図３の第１の実施形態のものに対応するその部分または要素には図２および図３の参照数字に数３００を加えた参照数字が与えられ、従ってそれらの説明に関して、図２と図３の説明が参照される。図２と図３の実施形態に対する差として、第１の支持面３１６の領域において、この支持面３１６を分割するウェブ３３が設けられる。ウェブ３３の二つの対向する側面３４は回路短絡ブリッジ３０８の第１の支持部３２１の切り欠き３２の対向配置された側縁の領域に配置された係合突起３２９と相互作用する。係合突起３２９は図２と図３のものに対応するように形成される。係止ウェブ７の収容部３１５にその二つの支持部３２１、３２２を有する回路短絡ブリッジ３０８を押し込むときに、ウェブ３３は収容部３２に収まり、係合突起３２９が、互いに離れて面するウェブ３３の側面３４に係合し、図２と図３の実施形態に関連して述べたのと同様に回路短絡ブリッジ３０８を固定する。
【００３６】
（第５の実施形態）
回路短絡ブリッジ４０８と係止ウェブ７の収容部４１５の構造を有する第５の実施形態は図１０および図１１を用いて説明される。ここでは図２と図３の第１の実施形態とは異なって形成される部分および要素のみが述べられる。図２と図３の実施形態に関連して既に述べられた同じ構成部材と要素には図２および図３の参照数字に比較して数４００が加えられた参照数字が与えられる。それらの説明に関して、図２および図３の説明が参照される。
【００３７】
図２と図３の実施形態とは異なって、第１の支持部４２１は二つの部分に分けられる。即ち、それは基部３５と、そこから突き出る舌部３６を備える第１の支持部４２１であり、互いに離れて面する舌部３６の二つの側縁３７には図２と図３に関連して述べられたものに対応する係合突起４２９が設けられる。取り付け状態、即ち矢印方向Ｆに収容部４１５に押し込まれた状態において、第１の支持部４２１の基部３５は第１の支持面４１６の第１の支持面部３８に当接し、舌部３６は第１の支持面４１６の第２の支持面部３９に当接し、係合部４２９が二つの側面４１９、４２０に係合し、第２の支持面部３９の領域において横方向に収容部４１５の範囲を定める。この部分は舌部３６の形状に適合される。
【００３８】
上述した本発明の特徴を以下ｉ項〜ｖｉｉｉ項に簡潔に纏めて列記する。
【００３９】
ｉ・・・  第１のコネクタ要素（１）と、第２のコネクタ要素（２）と、を備える電気コネクタであって、
ケーブルまたは回路基板の電気接続のためにそれぞれ働く少なくとも二つの第１の接点要素（５）が、前記第１のコネクタ要素（１）に配置され、
前記第１のコネクタ要素（１）が、平坦な第１の支持面（１６，１１６，２１６，３１６，４１６）と、当該第１の支持面（１６，１１６，２１６，３１６，４１６）に平行な第２の支持面（１７，１１７，２１７，３１７，４１７）と、を有する少なくとも一つの収容部（１５，１１５，２１５，３１５，４１５）を形成し、
少なくとも前記第１の支持面（１６，１１６，２１６，３１６，４１６）が、二つの平行な側面（１９，２０；１１９，１２０；２１９，２２０；３１９，３２０；４１９，４２０）を有する縁により部分的に囲まれ、
前記第１のコネクタ要素（１）に少なくとも一つの回路短絡ブリッジ（８，１０８，２０８，３０８，４０８）が配置され、
前記回路短絡ブリッジ（８，１０８，２０８，３０８，４０８）が、導電性の板状材料で作られ、且つ平坦な第１の支持部（２１，１２１，２２１，３２１，４２１）と、当該第１の支持部（２１，１２１，２２１，３２１，４２１）に距離を置いて対向するとともに前記第１の支持部（２１，１２１，２２１，３２１，４２１）に一体的に接続された第２の支持部（２２，１２２，２２２，３２２，４２２）と、を有し、
両方の前記第１および第２の支持部（２１，２２；１２１，１２２；２２１，２２２；３２１，３２２；４２１，４２２）が、互いに向かって弾性的に変形するように形成され且つ、それらと嵌合する前記収容部（１５，１１５，２１５，３１５，４１５）の前記第１および第２の支持面（１６，１１６，２１６，３１６，４１６；１７，１１７，２１７，３１７，４１７）と予め定められた荷重で当接し、
前記第１の支持部（２１，１２１，２２１，３２１，４２１）が、前記収容部（１５，１１５，２１５，３１５，４１５）の前記両側面（１９，２０；１１９，１２０；２１９，２２０；３１９，３２０；４１９，４２０）の間に係止される対向する二つの側縁（２３，２４；１２３，１２４；２２３，２２４；３２３，３２４；４２３，４２４）を有し、
前記回路短絡ブリッジ（８，１０８，２０８，３０８，４０８）が、前記第２の支持部（２２，１２２，２２２，３２２，４２２）に一体的に接続された少なくとも二つの弾性接触アーム（２６，１２６，２２６，３２６，４２６）を有し、
前記第１の接点要素（５）の数に対応して複数の第２の接点要素（１２）が前記第２のコネクタ要素（２）に配置され、当該第２の接点要素（１２）が、前記第１の接点要素（５）に対して嵌合するように形成され且つ、それぞれ、ケーブル（１３）または導電板の導電接続のために働き、
持ち上げ要素（１４）が前記第２のコネクタ要素（２）に配置され、
前記二つのコネクタ要素（１，２）の非接続状態において、前記接触アーム（２６，１２６，２２６，３２６，４２６）が前記第１の接点要素（５）に弾性的に接触し、
前記二つのコネクタ要素（１，２）の接続状態において、前記接触アーム（２６，１２６，２２６，３２６，４２６）が前記持ち上げ要素（１４）により前記第１の接点要素（５）との接触を解除され、そして、
前記第１の支持部（２１，１２１，２２１，３２１，４２１）には、前記収容部（１５，１１５，２１５，３１５，４１５）の範囲を定める前記第１の支持面（１６，１１６，２１６，３１６，４１６）、前記両側面の一方（１９，１１９，２１９，３１９，４１９）、および前記両側面の他方（２０，１２０，２２０，３２０，４２０）の一つに係合する係合部（２９，１２９，２２９，３２９，４２９）が設けられていること、
を特徴とする電気コネクタ。
【００４０】
ｉｉ・・・  前記第１の支持部（２１）の前記側縁（２３，２４）それぞれには、差し込み方向（Ｆ）に低勾配の側面（３０）と前記差し込み方向（Ｆ）とは反対側に急勾配の側面（３１）とを有する係合部（２９）として、少なくとも一つの突起が設けられていること、を特徴とする上記ｉの電気コネクタ。
【００４１】
ｉｉｉ・・・  前記急勾配の側面（３１）が、前記差し込み方向（Ｆ）に対して垂直に延長していること、を特徴とする上記ｉｉの電気コネクタ。
【００４２】
ｉｖ・・・  前記第１の支持部（１２１）の両側縁（１２３，１２４）それぞれには係合部（１２９）として少なくとも一つの三角形の突起が形成され、前記係合部（１２９）は、その突き出る先端で前記第１の支持面（１１６）に係合すること、を特徴とする上記ｉの電気コネクタ。
【００４３】
ｖ・・・  前記第１の支持部（２２１）には、打ち抜きおよび曲げにより係合部（２２９）として少なくとも一つの突起が形成され、当該突起が前記第２の支持部（２２２）の方向に突き出て前記第１の支持面（２１６）に係合すること、を特徴とする上記ｉの電気コネクタ。
【００４４】
ｖｉ・・・  前記第１の支持部（３２１）が、差し込み方向（Ｆ）に平行に延長する細長穴状の切り欠き（３２）を有し、当該切り欠き（３２）の範囲を定めるその対向縁には、係合部（３２９）として、互いに向かって突き出る複数の突起が設けられ、しかも前記第１の支持面（３１６）が、前記切り欠き（３２）内に配置されるウェブ（３３）により分割され、前記切り欠き（３２）に対応する前記ウェブ（３３）の複数の側面（３４）に前記係合部（３２９）が係合すること、を特徴とする上記ｉの電気コネクタ。
【００４５】
ｖｉｉ・・・  前記第１の支持部（４２１）が、基部（３５）として形成された部分と舌部（３６）として形成された部分と、を備え、
前記舌部（３６）の対向側縁（３７）には係合部（４２９）として少なくとも一つの突起が設けられ、
前記第１の支持面（４１６）が、前記基部（３５）に適合する第１の支持面部（３８）と、前記舌部（３６）に適合する第２の支持面部（３９）と、を備え、
前記舌部（３６）が、前記第２の支持面部（３９）の範囲を定める前記縁の側面（４１９，４２０）におけるその係合部分に係合すること、を特徴とする上記ｉの電気コネクタ。
【００４６】
ｖｉｉｉ・・・  前記第１の支持面（１６，１１６，２１６，３１６，４１６）と前記第２の支持面（１７，１１７，２１７，３１７，４１７）との間の変わり目が、丸み部（１８，１１８，２１８，３１８，４１８）の形で設けられ、
前記回路短絡ブリッジ（８，１０８，２０８，３０８，４０８）の前記第１の支持部（２１，１２１，２２１，３２１，４２１）と前記第２の支持部（２２，１２２，２２２，３２２，４２２）が、前記丸み部（１８，１１８，２１８，３１８，４１８）の外形に適合する円弧部（２５，１２５，２２５，３２５，４２５）により接続されていること、を特徴とする上記ｉの電気コネクタ。
【図面の簡単な説明】
【００４７】
【図１】互いに接続される前の第１のコネクタ要素と第２のコネクタ要素を有する電気コネクタの模式的縦断面図である。
【図２】回路短絡ブリッジとそれに対応する係止ウェブ内の収容部の、両者が互いに接続される前の状態にある第１の実施形態を示す斜視図である。
【図３】接続された状態の図２の回路短絡ブリッジと収容部を示す斜視図である。
【図４】回路短絡ブリッジとそれに対応する係止ウェブ内の収容部の、両者が互いに接続される前の状態にある第２の実施形態を示す斜視図である。
【図５】接続された状態の図４の回路短絡ブリッジと収容部を示す斜視図である。
【図６】回路短絡ブリッジとそれに対応する係止ウェブ内の収容部の、両者が互いに接続される前の状態にある第３の実施形態を示す斜視図である。
【図７】接続された状態の図６の回路短絡ブリッジと収容部を示す斜視図である。
【図８】回路短絡ブリッジとそれに対応する係止ウェブ内の収容部の、両者が互いに接続される前の状態にある第４の実施形態を示す斜視図である。
【図９】対応する（嵌合する）係止ウェブの収容部と接続された状態の図８の回路短絡ブリッジを示す斜視図である。
【図１０】回路短絡ブリッジとそれに対応する係止ウェブ内の収容部の、両者が互いに接続される前の状態にある第５の実施形態を示す斜視図である。
【図１１】接続された状態の図１０の回路短絡ブリッジと収容部を示す斜視図である。
【符号の説明】
【００４８】
１  第１のコネクタ要素
２  第２のコネクタ要素
５  第１の接点要素
８，１０８，２０８，３０８，４０８  回路短絡ブリッジ
１２  第２の接点要素
１３  ケーブル
１４  持ち上げ要素
１５，１１５，２１５，３１５，４１５  収容部
１６，１１６，２１６，３１６，４１６  第１の支持面
１７，１１７，２１７，３１７，４１７  第２の支持面
１９，２０；１１９，１２０；２１９，２２０；３１９，３２０；４１９，４２０  側面
２１，１２１，２２１，３２１，４２１  第１の支持部
２２，１２２，２２２，３２２，４２２  第２の支持部
２３，１２３，２２３，３２３，４２３  第１の側縁
２４，１２４，２２４，３２４，４２４  第２の側縁
２５，１２５，２２５，３２５，４２５  円弧部
２６，１２６，２２６，３２６，４２６  接触アーム
２９，１２９，２２９，３２９，４２９  係合部
３０  低勾配の側面
３１  急勾配の側面
３２  切り欠き
３３  ウェブ
３４  側面
３５  基部
３６  舌部
３７  側縁
３８  第１の支持面部
３９  第２の支持面部
【図１】
2004342594.tif 000003
【図２】
2004342594.tif 000004
【図３】
2004342594.tif 000005
【図４】
2004342594.tif 000006
【図５】
2004342594.tif 000007
【図６】
2004342594.tif 000008
【図７】
2004342594.tif 000009
【図８】
2004342594.tif 000010
【図９】
2004342594.tif 000011
【図１０】
2004342594.tif 000012
【図１１】
2004342594.tif 000013